(57)【要約】  複数のＭＢＭＳベアラサービスの各々に関連付けられた優先順位に応じて当該ＭＢＭＳベアラサービスからのマルチメディアコンテンツの受信を有効に制御する。本発明に係るマルチメディアコンテンツ提供方法は、複数の移動局ＵＥに対して、ブロードキャスト通信又はマルチキャスト通信によってマルチメディアコンテンツを提供し、移動局ＵＥが、最大受信可能数又は所定数のＭＢＭＳベアラサービスからのマルチメディアコンテンツを受信している間に、所望ＭＢＭＳベアラサービスからのマルチメディアコンテンツの受信を開始する場合、所望ＭＢＭＳベアラサービスからのマルチメディアコンテンツよりも低い優先順位を有するＭＢＭＳベアラサービスからのマルチメディアコンテンツの受信を停止する工程と、移動局ＵＥが、所望ＭＢＭＳベアラサービスからのマルチメディアコンテンツの受信が完了した後、停止したＭＢＭＳベアラサービスからのマルチメディアコンテンツの受信を再開する工程とを有する。【特許請求の範囲】
【請求項１】
複数の移動局に対して、ブロードキャスト通信又はマルチキャスト通信によってマルチメディアコンテンツを提供するマルチメディアコンテンツ提供方法であって、
前記移動局は、最大受信可能数又は所定数のベアラサービスからのマルチメディアコンテンツを受信している間に、所望ベアラサービスからのマルチメディアコンテンツの受信を開始する場合、該所望ベアラサービスよりも低い優先順位を有する低優先ベアラサービスからのマルチメディアコンテンツの受信を停止する工程と、
前記移動局は、前記所望ベアラサービスからのマルチメディアコンテンツの受信が完了した後、停止した前記低優先ベアラサービスからのマルチメディアコンテンツの受信を再開する工程とを有することを特徴とするマルチメディアコンテンツ提供方法。
【請求項２】
前記移動局は、前記低優先ベアラサービスからのマルチメディアコンテンツを受信するために、該低優先ベアラサービスへの参加処理を行う工程と、
前記移動局は、前記参加処理を行った前記低優先ベアラサービス用の無線ベアラを確立する工程と、
前記移動局は、前記無線ベアラを介して、前記参加処理を行った前記低優先ベアラサービスからのマルチメディアコンテンツを受信する工程とを更に有し、
前記受信を停止する工程において、前記移動局は、前記低優先ベアラサービス用の無線ベアラを解放した後、該低優先ベアラサービスからの脱退処理を行うことによって、該低優先ベアラサービスからのマルチメディアコンテンツの受信を停止し、
前記受信を再開する工程において、前記移動局は、前記低優先ベアラサービスへの参加処理を行った後、該低優先ベアラサービス用の無線ベアラを確立することによって、該低優先ベアラサービスからのマルチメディアコンテンツの受信を再開することを特徴とする請求項１に記載のマルチメディアコンテンツ提供方法。
【請求項３】
複数の移動局に対して、ブロードキャスト通信又はマルチキャスト通信によってマルチメディアコンテンツを提供するマルチメディアコンテンツ提供方法であって、
前記移動局は、複数のベアラサービスからのマルチメディアコンテンツの受信を開始すると、最大受信可能数又は所定数を上回る数のベアラサービスからのマルチメディアコンテンツの受信を開始することになる場合、該複数のベアラサービスの各々に関連付けられている優先順位に基づいて決定されたベアラサービスからのマルチメディアコンテンツの受信のみを開始する工程と、
前記移動局は、前記決定されたベアラサービスからのマルチメディアコンテンツの受信が完了した後、受信が開始されなかった前記ベアラサービスからのマルチメディアコンテンツの受信を開始する工程とを有することを特徴とするマルチメディアコンテンツ提供方法。
【請求項４】
前記受信のみを開始する工程において、前記移動局は、前記決定されたベアラサービスからのマルチメディアコンテンツを受信するために該決定されたベアラサービスへの参加処理を行った後、参加処理を行った該決定されたベアラサービス用の無線ベアラを確立することによって、該無線ベアラを介して該決定されたベアラサービスからのマルチメディアコンテンツの受信のみを開始し、
前記受信を開始する工程において、前記移動局は、前記決定されたベアラサービス用の無線ベアラを解放して、前記決定されたベアラサービスからの脱退処理を行った後、前記受信が開始されなかったベアラサービスへの参加処理を行い、前記受信が開始されなかったベアラサービス用の無線ベアラを確立することによって、該受信が開始されなかったベアラサービスからのマルチメディアコンテンツの受信を開始することを特徴とする請求項３に記載のマルチメディアコンテンツ提供方法。
【請求項５】
ブロードキャスト通信又はマルチキャスト通信によって提供されたマルチメディアコンテンツを受信する移動局であって、
最大受信可能数又は所定数のベアラサービスからのマルチメディアコンテンツを受信している間に、所望ベアラサービスからのマルチメディアコンテンツの受信を開始する場合、該所望ベアラサービスからのマルチメディアコンテンツよりも低い優先順位を有する低優先ベアラサービスからのマルチメディアコンテンツの受信停止を決定するように構成されている停止部と、
前記所望ベアラサービスからのマルチメディアコンテンツの受信が完了した後、停止した前記低優先ベアラサービスからのマルチメディアコンテンツの受信再開を決定するように構成されている再開部とを具備することを特徴とする移動局。
【請求項６】
前記低優先ベアラサービスからのマルチメディアコンテンツを受信するために該低優先ベアラサービスへの参加処理を行い、参加処理を行った該低優先ベアラサービス用の無線ベアラを確立し、該無線ベアラを介して該参加処理を行った低優先ベアラサービスからのマルチメディアコンテンツを受信するように構成されている受信部を更に具備し、
前記停止部は、前記低優先ベアラサービス用の無線ベアラを解放した後、該低優先ベアラサービスからの脱退処理を行うことによって、該低優先ベアラサービスからのマルチメディアコンテンツの受信停止を決定するように構成されており、
前記再開部は、前記低優先ベアラサービスへの参加処理を行った後、該低優先ベアラサービス用の無線ベアラを確立することによって、該低優先ベアラサービスからのマルチメディアコンテンツの受信再開を決定するように構成されていることを特徴とする請求項５に記載の移動局。
【請求項７】
ブロードキャスト通信又はマルチキャスト通信によって提供されたマルチメディアコンテンツを受信する移動局であって、
複数のベアラサービスからのマルチメディアコンテンツの受信を開始すると、最大受信可能数又は所定数を上回る数のベアラサービスからのマルチメディアコンテンツの受信を開始することになる場合、該複数のベアラサービスの各々に関連付けられている優先順位に基づいて決定されたベアラサービスからのマルチメディアコンテンツの受信開始を決定するように構成されている開始部と、
前記決定されたベアラサービスからのマルチメディアコンテンツの受信が完了した後、受信が開始されなかった前記ベアラサービスからのマルチメディアコンテンツの受信開始を決定するように構成されている再開部とを具備することを特徴とする移動局。
【請求項８】
前記開始部は、前記決定されたベアラサービスからのマルチメディアコンテンツを受信するために該決定されたベアラサービスへの参加処理を行った後、参加処理を行った該決定されたベアラサービス用の無線ベアラを確立することによって、該無線ベアラを介して該決定されたベアラサービスからのマルチメディアコンテンツのみの受信開始を決定するように構成されており、
前記再開部は、前記決定されたベアラサービス用の無線ベアラを解放して、前記決定されたベアラサービスからの脱退処理を行った後、前記受信が開始されなかったベアラサービスへの参加処理を行い、前記受信が開始されなかったベアラサービス用の無線ベアラを確立することによって、該受信が開始されなかったベアラサービスからのマルチメディアコンテンツの受信開始を決定するように構成されていることを特徴とする請求項７に記載の移動局。
【発明の詳細な説明】
【技術分野】
【０００１】
本発明は、複数の移動局に対して、ブロードキャスト通信又はマルチキャスト通信によってマルチメディアコンテンツを提供するマルチメディアコンテンツ提供方法及び移動局に関する。
【背景技術】
【０００２】
従来、複数の移動局に対して、ブロードキャスト通信又はマルチキャスト通信によってマルチメディアコンテンツを提供するサービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）が知られている（例えば、非特許文献１参照）。【０００３】
従来のＭＢＭＳでは、サーバとコアネットワーク装置と制御局とを介して、移動局に対して、「サービスアナウンスメント処理」及び「ＭＢＭＳ通知処理」が行われるように構成されている。【０００４】
そして、従来のＭＢＭＳでは、エリアによっては、複数のＭＢＭＳベアラサービスによってマルチメディアコンテンツが同時に送信されるように構成されている。【０００５】
しかしながら、従来のＭＢＭＳでは、移動局は、所定数のＭＢＭＳベアラサービスからのマルチメディアコンテンツを受信している間に最大受信可能数又は所定数を上回る数のＭＢＭＳベアラサービスからのマルチメディアコンテンツの受信を新たに開始しようとする場合、或いは、最大受信可能数又は所定数を上回る数のＭＢＭＳベアラサービスからのマルチメディアコンテンツの受信を同時に開始しようとする場合、当該移動局に到着した順にマルチメディアコンテンツの受信を開始するため、高い優先順位を有するＭＢＭＳベアラサービスからのマルチメディアコンテンツを受信できない、或いは、低い優先順位のＭＢＭＳベアラサービスからのマルチメディアコンテンツを受信した後に高い優先順位を有するＭＢＭＳベアラサービスからのマルチメディアコンテンツの受信を開始して、当該高い優先順位を有するＭＢＭＳベアラサービスからのマルチメディアコンテンツの受信開始が遅くなるという問題点があった。
【非特許文献１】３ＧＰＰ  ＴＳＧ-ＳＡ  ＴＳ２３.２４６  ｖ６.４.０、２００４年９月
【発明の開示】
【０００６】
そこで、本発明は、以上の点に鑑みてなされたもので、複数のマルチメディアコンテンツを送信するＭＢＭＳベアラサービスの各々に関連付けられた優先順位に応じて当該ＭＢＭＳベアラサービスからのマルチメディアコンテンツの受信を有効に制御することによって、上述の問題点を解決することができるマルチメディアコンテンツ提供方法及び移動局を提供することを目的とする。
【０００７】
本発明の第１の特徴は、複数の移動局に対して、ブロードキャスト通信又はマルチキャスト通信によってマルチメディアコンテンツを提供するマルチメディアコンテンツ提供方法であって、前記移動局が、最大受信可能数又は所定数のベアラサービスからのマルチメディアコンテンツを受信している間に、所望ベアラサービスからのマルチメディアコンテンツの受信を開始する場合、該所望ベアラサービスよりも低い優先順位を有する低優先ベアラサービスからのマルチメディアコンテンツの受信を停止する工程と、前記移動局が、前記所望ベアラサービスからのマルチメディアコンテンツの受信が完了した後、停止した前記低優先ベアラサービスからの前記マルチメディアコンテンツの受信を再開する工程とを有することを要旨とする。
【０００８】
本発明の第1の特徴において、前記移動局は、前記低優先ベアラサービスからのマルチメディアコンテンツを受信するために、該低優先ベアラサービスへの参加処理を行う工程と、前記移動局は、前記参加処理を行った前記低優先ベアラサービス用の無線ベアラを確立する工程と、前記移動局は、前記無線ベアラを介して、前記参加処理を行った前記低優先ベアラサービスからのマルチメディアコンテンツを受信する工程とを更に有し、前記受信を停止する工程において、前記移動局は、前記低優先ベアラサービス用の無線ベアラを解放した後、該低優先ベアラサービスからの脱退処理を行うことによって、該低優先ベアラサービスからのマルチメディアコンテンツの受信を停止し、前記受信を再開する工程において、前記移動局は、前記低優先ベアラサービスへの参加処理を行った後、該低優先ベアラサービス用の無線ベアラを確立することによって、該低優先ベアラサービスからのマルチメディアコンテンツの受信を再開してもよい。
【０００９】
本発明の第２の特徴は、複数の移動局に対して、ブロードキャスト通信又はマルチキャスト通信によってマルチメディアコンテンツを提供するマルチメディアコンテンツ提供方法であって、前記移動局が、複数のベアラサービスからのマルチメディアコンテンツの受信を開始すると、最大受信可能数又は所定数を上回る数のベアラサービスからのマルチメディアコンテンツの受信を開始することになる場合、該複数のベアラサービスの各々に関連付けられている優先順位に基づいて決定されたベアラサービスからのマルチメディアコンテンツの受信のみを開始する工程と、前記移動局が、前記決定されたベアラサービスからのマルチメディアコンテンツの受信が完了した後、受信が開始されなかった前記ベアラサービスからのマルチメディアコンテンツの受信を開始する工程とを有することを要旨とする。
【００１０】
本発明の第２の特徴において、前記受信のみを開始する工程において、前記移動局は、前記決定されたベアラサービスからのマルチメディアコンテンツを受信するために該決定されたベアラサービスへの参加処理を行った後、参加処理を行った該決定されたベアラサービス用の無線ベアラを確立することによって、該無線ベアラを介して該決定されたベアラサービスからのマルチメディアコンテンツの受信のみを開始し、前記受信を開始する工程において、前記移動局は、前記決定されたベアラサービス用の無線ベアラを解放して、前記決定されたベアラサービスからの脱退処理を行った後、前記受信が開始されなかったベアラサービスへの参加処理を行い、前記受信が開始されなかったベアラサービス用の無線ベアラを確立することによって、該受信が開始されなかったベアラサービスからのマルチメディアコンテンツの受信を開始してもよい。
【００１１】
本発明の第３の特徴は、ブロードキャスト通信又はマルチキャスト通信によって提供されたマルチメディアコンテンツを受信する移動局であって、最大受信可能数又は所定数のベアラサービスからのマルチメディアコンテンツを受信している間に、所望ベアラサービスからのマルチメディアコンテンツの受信を開始する場合、該所望ベアラサービスよりも低い優先順位を有する低優先ベアラサービスからのマルチメディアコンテンツの受信を停止するように構成されている停止部と、前記所望ベアラサービスからのマルチメディアコンテンツの受信が完了した後、停止した前記低優先ベアラサービスからのマルチメディアコンテンツの受信を再開するように構成されている再開部とを具備することを要旨とする。
【００１２】
本発明の第３の特徴において、前記低優先ベアラサービスからのマルチメディアコンテンツを受信するために該低優先ベアラサービスへの参加処理を行い、参加処理を行った該低優先ベアラサービス用の無線ベアラを確立し、該無線ベアラを介して該参加処理を行った低優先ベアラサービスからのマルチメディアコンテンツを受信するように構成されている受信部を更に具備し、前記停止部は、前記低優先ベアラサービス用の無線ベアラを解放した後、該低優先ベアラサービスからの脱退処理を行うことによって、該低優先ベアラサービスからのマルチメディアコンテンツの受信を停止するように構成されており、前記再開部は、前記低優先ベアラサービスへの参加処理を行った後、該低優先ベアラサービス用の無線ベアラを確立することによって、該低優先ベアラサービスからのマルチメディアコンテンツの受信を再開するように構成されていてもよい。
【００１３】
本発明の第４の特徴は、ブロードキャスト通信又はマルチキャスト通信によって提供されたマルチメディアコンテンツを受信する移動局であって、複数のマルチメディアコンテンツの受信を開始すると、最大受信可能数又は所定数を上回る数のマルチメディアコンテンツの受信を開始することになる場合、該複数のベアラサービスの各々に関連付けられている優先順位に基づいて決定されたマルチメディアコンテンツの受信を開始するように構成されている開始部と、前記決定されたベアラサービスからのマルチメディアコンテンツの受信が完了した後、受信が開始されなかった前記ベアラサービスからのマルチメディアコンテンツの受信を開始するように構成されている再開部とを具備することを要旨する。
【００１４】
本発明の第４の特徴において、前記開始部は、前記決定されたベアラサービスからのマルチメディアコンテンツを受信するために該決定されたベアラサービスへの参加処理を行った後、参加処理を行った該決定されたベアラサービス用の無線ベアラを確立することによって、該無線ベアラを介して該決定されたベアラサービスからのマルチメディアコンテンツの受信のみを開始するように構成されており、前記再開部は、前記決定されたベアラサービス用の無線ベアラを解放して、前記決定されたベアラサービスからの脱退処理を行った後、前記受信が開始されなかったベアラサービスへの参加処理を行い、前記受信が開始されなかったベアラサービス用の無線ベアラを確立することによって、該受信が開始されなかったベアラサービスからのマルチメディアコンテンツの受信を開始するように構成されていてもよい。
【図面の簡単な説明】
【００１５】
【図１】図１は、本発明の第１の実施形態に係る移動通信システムの全体構成図である。
【図２】図２は、本発明の第１の実施形態に係る移動通信システムの移動局の機能ブロック図である。
【図３】図３は、本発明の第１の実施形態に係る移動通信システムの移動局によって管理される優先順位の一例を示す図である。
【図４】図４は、本発明の第１の実施形態に係る移動通信システムの動作を示すフローチャートである。
【図５】図５は、本発明の第１の実施形態に係る移動通信システムにおける参加処理を示すフローチャートである。
【発明を実施するための最良の形態】
【００１６】
（本発明の第１の実施形態に係る移動通信システムの構成）
図１乃至図３を参照して、本発明の第１の実施形態に係る移動通信システムの構成について説明する。【００１７】
本実施形態に係る移動通信システムは、複数の移動局ＵＥに対して、ブロードキャスト通信又はマルチキャスト通信によってマルチメディアコンテンツを提供するように構成されている。【００１８】
すなわち、本実施形態に係る移動通信システムは、複数の移動局ＵＥに対して、ＭＢＭＳを提供することによって、１つのエリアに対して複数のＭＢＭＳベアラサービスによってマルチメディアコンテンツを提供するように構成されている。【００１９】
本実施形態に係る移動通信システムは、図１に示すように、ＢＭ-ＳＣ（ＢＭ-ＳＣ：Ｂｒｏａｄｃａｓｔ-Ｍｕｌｔｉｃａｓｔ  Ｓｒｅｖｉｃｅ  Ｃｅｎｔｒｅ）と、ＳＧＳＮ（Ｓｅｒｖｉｎｇ  ＧＰＲＳ  Ｓｕｐｐｏｒｔ  Ｎｏｄｅ）と、ＧＧＳＮ（Ｇａｔｅｗａｙ  ＧＰＲＳ  Ｓｕｐｐｏｒｔ  Ｎｏｄｅ）と、ＨＬＲ（Ｈｏｍｅ  Ｌｏｃａｔｉｏｎ  Ｒｅｇｉｓｔｅｒ）と、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）と、ＧＥＲＡＮ（ＧＳＭ  ＥＤＧＥ  Ｒａｄｉｏ  Ａｃｃｅｓｓ  Ｎｅｔｗｏｒｋ）とを具備している。【００２０】
なお、ＢＭ-ＳＣ、ＳＧＳＮ、ＧＧＳＮ、ＨＬＲ、ＵＴＲＡＮ、ＧＥＲＡＮの機能は、従来のＭＢＭＳを提供する際の機能と同等であるため、これらの機能についての詳細な説明は省略する（上述の非特許文献１等参照）。【００２１】
移動局ＵＥは、図２に示すように、優先順位管理部１１と、マルチメディアコンテンツ受信部１２と、マルチメディアコンテンツ受信開始部１３と、マルチメディアコンテンツ受信停止部１４と、マルチメディアコンテンツ受信再開部１５とを具備する。【００２２】
優先順位管理部１１は、複数のＭＢＭＳベアラサービスの各々に関連付けられている優先順位を管理するように構成されている。例えば、優先順位管理部１１は、図３に示すように、「ＭＢＭＳベアラサービス名」と、「優先順位」とを関連付けるテーブルを管理するように構成されている。【００２３】
マルチメディアコンテンツ受信部１２は、ＵＴＲＡＮやＧＥＲＡＮを介して、ブロードキャスト通信又はマルチキャスト通信によって提供されたマルチメディアコンテンツを受信するように構成されている。【００２４】
具体的には、マルチメディアコンテンツ受信部１２は、マルチメディアコンテンツ開始部１３によって受信を開始するように指示されたＭＢＭＳベアラサービスからのマルチメディアコンテンツの受信を開始するように構成されている。【００２５】
また、マルチメディアコンテンツ受信部１２は、マルチメディアコンテンツ再開部１５によって受信を再開するように指示されたＭＢＭＳベアラサービスからのマルチメディアコンテンツの受信を再開するように構成されている。【００２６】
さらに、マルチメディアコンテンツ受信部１２は、マルチメディアコンテンツ停止部１４によって受信を停止するように指示されたＭＢＭＳベアラサービスからのマルチメディアコンテンツの受信を停止するように構成されている。【００２７】
例えば、マルチメディアコンテンツ受信部１２は、後述する加入処理や参加処理や無線ベアラ開始処理等を行うことによって、所望ＭＢＭＳベアラサービスからのマルチメディアコンテンツの受信を開始するように構成されている。【００２８】
また、マルチメディアコンテンツ受信部１２は、後述する無線ベアラ終了処理や脱退処理等を行うことによって、所望ＭＢＭＳベアラサービスからのマルチメディアコンテンツの受信を停止又は終了するように構成されている。【００２９】
マルチメディアコンテンツ受信開始部１３は、ユーザからの指示に応じて、所望ＭＢＭＳベアラサービスからのマルチメディアコンテンツの受信開始を決定して、その旨をマルチメディアコンテンツ受信部１２に指示するように構成されている。【００３０】
また、マルチメディアコンテンツ受信開始部１３は、複数のＭＢＭＳベアラサービスからのマルチメディアコンテンツの受信を開始すると、最大受信可能数又は所定数を上回る数のＭＢＭＳベアラサービスからのマルチメディアコンテンツの受信を開始することになる場合、当該複数のＭＢＭＳベアラサービスの各々に関連付けられている優先順位に基づいて決定されたＭＢＭＳベアラサービスからのマルチメディアコンテンツの受信開始を決定するように構成されている。【００３１】
ここで、最大受信可能数は、移動局ＵＥの受信能力等によって決定されるものである。また、所定数は、移動局ＵＥ又は移動通信システムによって予め設定されているものである。【００３２】
マルチメディアコンテンツ受信停止部１４は、ユーザからの指示に応じて、又は、所定条件が満たされる場合、所望ＭＢＭＳベアラサービスからのマルチメディアコンテンツの受信停止を決定して、その旨をマルチメディアコンテンツ受信部１２に指示するように構成されている。【００３３】
また、マルチメディアコンテンツ受信停止部１４は、最大受信可能数又は所定数のＭＢＭＳベアラサービスからのマルチメディアコンテンツを受信している間に、所望ＭＢＭＳベアラサービスからのマルチメディアコンテンツの受信を開始する場合、当該所望ＭＢＭＳベアラサービスよりも低い優先順位を有するＭＢＭＳベアラサービスからのマルチメディアコンテンツの受信停止を決定するように構成されている。【００３４】
マルチメディアコンテンツ受信再開部１５は、所定条件が満たされる場合、所望ＭＢＭＳベアラサービスからのマルチメディアコンテンツの受信再開を決定して、その旨をマルチメディアコンテンツ受信部１２に指示するように構成されている。【００３５】
また、マルチメディアコンテンツ受信再開部１５は、所望ＭＢＭＳベアラサービスからのマルチメディアコンテンツの受信が完了した後、停止中であるＭＢＭＳベアラサービスからのマルチメディアコンテンツの受信再開を決定するように構成されている。【００３６】
また、マルチメディアコンテンツ再開部１５は、マルチメディアコンテンツ受信開始部１３によって受信開始を決定されたＭＢＭＳベアラサービスからのマルチメディアコンテンツの受信が完了した後、受信が開始されなかったＭＢＭＳベアラサービスからのマルチメディアコンテンツの受信開始を決定するように構成されている。【００３７】
（本発明の第１の実施形態に係る移動通信システムの動作）
図４及び図５を参照して、本発明の第１の実施形態に係る移動通信システムの動作について説明する。【００３８】
図４に示すように、ステップＳ１０１において、移動局ＵＥは、本実施形態に係る移動通信システムによって提供されているＭＢＭＳに対する加入処理（Ｓｕｂｓｃｒｉｐｔｉｏｎ）を行う。具体的には、かかる加入処理によって、移動局ＵＥの当該ＭＢＭＳに対する加入情報が、ＢＭ-ＳＣに記録される。【００３９】
移動局ＵＥは、ＭＢＭＳに対する加入処理を行った後、所望ＭＢＭＳベアラサービスからのマルチメディアコンテンツの受信を開始するために、所望ＭＢＭＳベアラサービスへの参加処理（Ｊｏｉｎｉｎｇ）を行うことができる。なお、移動局ＵＥは、所望のタイミングで、ＭＢＭＳに対する加入処理を行うことができる。【００４０】
ステップＳ１０２において、ＢＭ-ＳＣは、移動局ＵＥに対して、当該移動局ＵＥが在圏するエリアにおいてマルチメディアコンテンツを配信しているＭＢＭＳベアラサービスを通知するためのサービスアナウンスメント処理（Ｓｅｒｖｉｃｅ  ａｎｎｏｕｎｃｅｍｅｎｔ）を行う。【００４１】
具体的には、ステップＳ１０２において、ＢＭ-ＳＣは、ＩＥＴＦ指定プロトコルを用いたサービスアナウンスメントによって、ＭＢＭＳベアラサービスにおいて配信されるマルチメディアコンテンツを指定するメディア記述情報（例えば、ビデオ符号化情報やオーディオ符号化情報等）や、ＭＢＭＳベアラサービスにおいてマルチメディアコンテンツを配信するＭＢＭＳセッションを指定するＭＢＭＳセッション記述情報（例えば、ＩＰマルチキャストアドレスや伝送時間等）を、移動局ＵＥに対して提供する。【００４２】
ステップＳ１０３において、移動局ＵＥは、所望ＭＢＭＳベアラサービスからのマルチメディアコンテンツの受信を開始するために、所望ＭＢＭＳベアラサービスへの参加処理（Ｊｏｉｎｉｎｇ）を行う。かかる参加処理について、図５を参照して具体的に説明する。【００４３】
図５に示すように、ステップＳ２０１において、移動局ＵＥのマルチメディアコンテンツ受信開始部１３は、ユーザによって１つ又は複数の所望ＭＢＭＳベアラサービスからのマルチメディアコンテンツの受信開始を指示された場合、当該所望ＭＢＭＳベアラサービスからのマルチメディアコンテンツの受信を開始すると、最大受信可能数又は所定数を上回る数のＭＢＭＳベアラサービスからのマルチメディアコンテンツを受信することとなるか否かについて判定する。【００４４】
最大受信可能数又は所定数を上回る数のＭＢＭＳベアラサービスからのマルチメディアコンテンツを受信することとなると判定された場合、本動作はステップＳ２０２に進み、それ以外の場合、本動作はステップＳ２０３に進む。【００４５】
ステップＳ２０２において、移動局ＵＥのマルチメディアコンテンツ受信停止部１４は、優先順位管理部１１を参照して、現在受信中のＭＢＭＳベアラサービスからのマルチメディアコンテンツ及び当該所望ＭＢＭＳベアラサービスからのマルチメディアコンテンツの中から、優先順位が最も低いＭＢＭＳベアラサービスからのマルチメディアコンテンツの受信を停止するように決定する。【００４６】
ここで、移動局ＵＥのマルチメディアコンテンツ受信部１３は、受信を停止するように決定された優先順位が最も低いＭＢＭＳベアラサービスからのマルチメディアコンテンツの受信を終了するために、ＭＢＭＳベアラサービスからの脱退処理（Ｌｅａｖｉｎｇ）を行う。【００４７】
ステップＳ２０３において、移動局ＵＥのマルチメディアコンテンツ受信部１２は、マルチメディアコンテンツ受信開始部１３（又は、マルチメディアコンテンツ受信再開部１５）及びマルチメディアコンテンツ受信停止部１４からの指示に応じて、受信開始する所望ＭＢＭＳベアラサービスを決定する。【００４８】
ここで、移動局ＵＥは、受信開始するように決定された所望ＭＢＭＳベアラサービスからのマルチメディアコンテンツの受信を開始するために、所望ＭＢＭＳベアラサービスへの参加処理（Ｊｏｉｎｉｎｇ）を行う。ここで、移動局UEは、所望ＭＢＭＳベアラサービス用の無線ベアラの設定を行う。【００４９】
具体的には、移動局ＵＥは、ＩＰマルチキャストアドレスによって識別される所望ＭＢＭＳベアラサービスからのマルチメディアコンテンツの受信を望むことを通知するために「ＩＧＭＰ（ＩＰｖ４）又はＭＬＤ（ＩＰｖ６）Ｊｏｉｎメッセージ」を送信する。【００５０】
ステップＳ１０４において、ＢＭ-ＳＣは、所望ＭＢＭＳベアラサービスにおいてマルチメディアコンテンツを配信するためのセッションを確立するためのセッション開始処理（Ｓｅｓｓｉｏｎ  ｓｔａｒｔ）を行う。【００５１】
具体的には、ＢＭ-ＳＣは、所望ＭＢＭＳベアラサービスにおいてマルチメディアコンテンツの配信を開始する際に、ＧＧＳＮに対してセッション開始要求を送信することによって、マルチメディアコンテンツを配信するためのセッションが確立される。【００５２】
ステップＳ１０５において、ＢＭ-ＳＣは、移動局ＵＥに対して、当該移動局ＵＥが所望ＭＢＭＳベアラサービスからのマルチメディアコンテンツの受信に必要な情報を通知するためのＭＢＭＳ通知処理（ＭＢＭＳ  ｎｏｔｉｆｉｃａｔｉｏｎ）を行う。【００５３】
具体的には、ＵＴＲＡＮにおける基地局ＮｏｄｅＢが、第1に、移動局ＵＥに対して、ＭＩＣＨ（ＭＢＭＳ  Ｉｎｄｉｃａｔｏｒ  Ｃｈａｎｎｅｌ）を送信することによって、当該移動局ＵＥが参加処理を行っているＭＢＭＳベアラサービスからマルチメディアコンテンツが送信されることを通知する。【００５４】
第２に、移動局ＵＥは、ＭＣＣＨ（ＭＢＭＳ  Ｃｏｎｔｒｏｌ  Ｃｈａｎｎｅｌ）を受信することによって、当該移動局ＵＥが所望ＭＢＭＳベアラサービスから当該マルチメディアコンテンツを受信するために必要な情報を取得する。【００５５】
ステップＳ１０６において、ＢＭ-ＳＣは、移動局ＵＥに対して、所望マルチメディアコンテンツを転送するためのデータ転送処理（Ｄａｔａ  ｔｒａｎｓｆｅｒ）を行う。【００５６】
具体的には、移動局ＵＥは、所望ＭＢＭＳベアラサービス用の無線ベアラを介して、すなわち、ＭＣＣＨによって通知された情報に基づいて特定されるＭＴＣＨ（ＭＢＭＳ  Ｔｒａｆｆｉｃ  Ｃｈａｎｎｅｌ）上で配信されている所望マルチメディアコンテンツを受信する。【００５７】
ステップＳ１０７において、移動局ＵＥのマルチメディアコンテンツ受信部１２は、所望ＭＢＭＳベアラサービスからのマルチメディアコンテンツの受信が完了した場合に、ＢＭ-ＳＣは、上述のセッションを解放するためのセッション終了処理（Ｓｅｓｓｉｏｎ  ｓｔｏｐ）処理を行う。【００５８】
ステップＳ１０８において、移動局ＵＥは、所望ＭＢＭＳベアラサービスからのマルチメディアコンテンツの受信を終了するために、ＭＢＭＳベアラサービスからの脱退処理（Ｌｅａｖｉｎｇ）を行う。ここで、移動局ＵＥは、所望ＭＢＭＳベアラサービス用の無線ベアラを解放する。【００５９】
ステップＳ１０９において、移動局ＵＥのマルチメディアコンテンツ受信再開部１５は、受信停止中のＭＢＭＳベアラサービスからのマルチメディアコンテンツが存在するか否かについて判定する。【００６０】
受信停止中のＭＢＭＳベアラサービスからのマルチメディアコンテンツが存在すると判定された場合、本動作は、ステップＳ１０３に戻り、移動局ＵＥは、かかる受信停止中のＭＢＭＳベアラサービスからのマルチメディアコンテンツについての参加処理を行う。【００６１】
一方、受信停止中のマルチメディアコンテンツが存在しないと判定された場合、本動作は終了する。【００６２】
図３の例では、移動局ＵＥは、ＭＢＭＳベアラサービスＡ及びＢからのマルチメディアコンテンツを受信している間に、新たにＭＢＭＳベアラサービスＣからのマルチメディアコンテンツの受信を開始しようとする場合、ＭＢＭＳベアラサービスＣの優先順位（「２」）の方がＭＢＭＳベアラサービスＢの優先順位（「３」）よりも高いため、現在受信中のＭＢＭＳベアラサービスＢからのマルチメディアコンテンツの受信を停止してＭＢＭＳベアラサービスＣからのマルチメディアコンテンツの受信を開始するように構成されている（なお、最大受信可能数又は所定数は「２」である）。【００６３】
そして、移動局ＵＥは、ＭＢＭＳベアラサービスＡ又はＣからのマルチメディアコンテンツの受信を完了した後に、ＭＢＭＳベアラサービスＢからのマルチメディアコンテンツの受信を再開するように構成されている。【００６４】
また、移動局ＵＥは、ＭＢＭＳベアラサービスからのマルチメディアコンテンツを受信していない間に、新たにＭＢＭＳベアラサービスＡ乃至Ｃからのマルチメディアコンテンツの受信を開始しようとする場合、ＭＢＭＳベアラサービスＢの優先順位（「３」）がＭＢＭＳベアラサービスＡ及びＣの優先順位（「１」及び「３」）よりも低いため、ＭＢＭＳベアラサービスＢからのマルチメディアコンテンツの受信を停止するように（すなわち、ＭＢＭＳベアラサービスＢ以外のＭＢＭＳベアラサービスＡ及びＣからのマルチメディアコンテンツの受信を開始するように）構成されている。【００６５】
そして、移動局ＵＥは、ＭＢＭＳベアラサービスＡ乃至Ｃからのマルチメディアコンテンツの受信を完了した後に、ＭＢＭＳベアラサービスＢからのマルチメディアコンテンツの受信を再開するように構成されている。【００６６】
（本発明の第１の実施形態に係る移動通信システムの作用・効果）
本実施形態に係る移動通信システムによれば、移動局ＵＥが、所定数のＭＢＭＳベアラサービスからのマルチメディアコンテンツを受信している間に最大受信可能数又は所定数を上回る数のＭＢＭＳベアラサービスからのマルチメディアコンテンツの受信を新たに開始しようとする場合、或いは、最大受信可能数又は所定数を上回る数のＭＢＭＳベアラサービスからのマルチメディアコンテンツの受信を同時に開始しようとする場合に、当該移動局ＵＥに到着した順にマルチメディアコンテンツの受信を開始するため、高い優先順位を有するＭＢＭＳベアラサービスからのマルチメディアコンテンツを受信できない、或いは、低い優先順位のＭＢＭＳベアラサービスからのマルチメディアコンテンツを受信した後に高い優先順位を有するＭＢＭＳベアラサービスからのマルチメディアコンテンツの受信を開始して、当該高い優先順位を有するＭＢＭＳベアラサービスからのマルチメディアコンテンツの受信開始が遅くなるという問題点を解決することができる。【００６７】
（変更例１）
なお、上述の第1の実施形態では、マルチメディアコンテンツ停止部１４は、最大受信可能数又は所定数のベアラサービスからのマルチメディアコンテンツを受信している間に、所望ベアラサービスからのマルチメディアコンテンツの受信を開始する場合、かかる所望ベアラサービスよりも低い優先順位を有する低優先ベアラサービス用の無線ベアラを解放した後、かかる低優先ベアラサービスからの脱退処理を行うことによって、かかる低優先ベアラサービスからのマルチメディアコンテンツの受信停止を決定するように構成されている。【００６８】
また、マルチメディアコンテンツ再開部１５は、上述の所望ベアラサービスからのマルチメディアコンテンツの受信が完了した場合、上述の低優先ベアラサービスへの参加処理を行った後、かかる低優先ベアラサービス用の、無線ベアラを確立することによって、かかる低優先ベアラサービスからのマルチメディアコンテンツの受信再開を決定するように構成されている。【００６９】
これに対して、本変更例1では、マルチメディアコンテンツ停止部１４は、最大受信可能数又は所定数のベアラサービスからのマルチメディアコンテンツを受信している間に、所望ベアラサービスからのマルチメディアコンテンツの受信を開始する場合、かかる所望ベアラサービスよりも低い優先順位を有する低優先ベアラサービス用の無線ベアラを解放した後、かかる低優先ベアラサービスからの脱退処理を行うことなく、かかる低優先ベアラサービスからのマルチメディアコンテンツの受信停止を決定するように構成されている。【００７０】
そして、本変更例1では、マルチメディアコンテンツ再開部１５は、上述の所望ベアラサービスからのマルチメディアコンテンツの受信が完了した場合、上述の低優先ベアラサービスへの参加処理を行っている状態であるので、かかる低優先ベアラサービス用の無線ベアラを確立することによって、かかる低優先ベアラサービスからのマルチメディアコンテンツの受信再開を決定するように構成されている。【００７１】
また、マルチメディアコンテンツ開始部１３は、複数のベアラサービスからのマルチメディアコンテンツの受信を開始すると、最大受信可能数又は所定数を上回る数のベアラサービスからのマルチメディアコンテンツの受信を開始することになる場合、該複数のベアラサービスの各々に関連付けられている優先順位に基づいて決定されたベアラサービスからのマルチメディアコンテンツを受信するために当該決定されたベアラサービスへの参加処理を行った後、参加処理を行った当該決定されたベアラサービス用の無線ベアラを確立することによって、当該無線ベアラを介して当該決定されたベアラサービスからのマルチメディアコンテンツのみの受信開始を決定するように構成されている。【００７２】
また、マルチメディアコンテンツ再開部１５は、上述の決定されたベアラサービスからのマルチメディアコンテンツの受信が完了した場合、当該決定されたベアラサービス用の無線ベアラを解放して、当該決定されたベアラサービスからの脱退処理を行った後、上述の受信が開始されなかったベアラサービスへの参加処理を行い、当該受信が開始されなかったベアラサービス用の無線ベアラを確立することによって、当該受信が開始されなかったベアラサービスからのマルチメディアコンテンツの受信開始を決定するように構成されている。【００７３】
これに対して、本変更例１では、マルチメディアコンテンツ開始部１３は、複数のベアラサービスからのマルチメディアコンテンツの受信を開始すると、最大受信可能数又は所定数を上回る数のベアラサービスからのマルチメディアコンテンツの受信を開始することになる場合であっても、全てのベアラサービスへの参加処理を行った後、該複数のベアラサービスの各々に関連付けられている優先順位に基づいて決定されたベアラサービスからのマルチメディアコンテンツを受信するために決定されたベアラサービス用の無線ベアラを確立することによって、当該無線ベアラを介して当該決定されたベアラサービスからのマルチメディアコンテンツのみの受信開始を決定するように構成されている。【００７４】
また、マルチメディアコンテンツ再開部１５は、上述の決定されたベアラサービスからのマルチメディアコンテンツの受信が完了した場合、当該決定されたベアラサービス用の無線ベアラを解放した後、当該決定されたベアラサービスからの脱退処理を行うことなく、上述の受信が開始されなかったベアラサービス用の無線ベアラを確立することによって、当該受信が開始されなかったベアラサービスからのマルチメディアコンテンツの受信開始を決定するように構成されている。【００７５】
尚、本発明は上記実施形態に限定されるものではなく、種々の変更が可能である。
【産業上の利用の可能性】
【００７６】
以上説明したように、本発明によれば、複数のＭＢＭＳベアラサービスの各々に関連付けられた優先順位に応じて当該ＭＢＭＳベアラサービスからのマルチメディアコンテンツの受信を有効に制御することによって、上述の問題点を解決することができるマルチメディアコンテンツ提供方法及び移動局を提供することができる。
【図１】
2007010983.tif 000002
【図２】
2007010983.tif 000003
【図３】
2007010983.tif 000004
【図４】
2007010983.tif 000005
【図５】
2007010983.tif 000006
【国際調査報告】
2007010983.tif 000007
2007010983.tif 000008